(57)【特許請求の範囲】
【請求項１】
ブレードを備える本体と、
前記本体の下方前方及び後方に配置される２つの本体位置決め部を介して設置されるとともに、刈り込み対象と接する摺動面を備えるスライダと、
下方前方又は後方に配置される前記本体位置決め部のいずれか一方と前記スライダとを固定することによって、前記本体の前記スライダに対する位置決め固定を実現する固定具と、
を備える電動刈り込み機であって、
前記ブレードの面が、前記スライダの摺動面に対して略平行方向に配置され、且つ、前記スライダの摺動面に対する略平行状態を維持したまま前記スライダの摺動面との間隔を調整自在とされ、
前記２つの本体位置決め部は、
前記本体に形成される係合部材、及び該係合部材が係合可能な前記スライダの上面前方の両端部に形成される階段状の受け部から構成される第１の本体位置決め部と、
前記本体の下方後方に形成される突状体、及び前記スライダの上面の後方中央部に立設される支持部を有する第２の本体位置決め部と、
から構成されていることを特徴とする電動刈り込み機。
【請求項２】
請求項１に記載の電動刈り込み機において、
前記支持部は、後方が斜め上方に延びる長孔を備え、
該長孔の内周面下部には、前記固定具が備える軸が係合するための階段状の係合部が形成されていることを特徴とする電動刈り込み機。
【請求項３】
請求項１、又は請求項２に記載の電動刈り込み機において、
前記ブレードは、
前方に複数の刈刃を有する上刃と、
前記上刃の下方にほぼ重ね合わせて配置される前方に複数の刈刃を有する下刃と、
を備え、
前記スライダの前方端部が、刈り込み作業における進行方向において、刈刃の根元の後方近傍に配置されていることを特徴とする電動刈り込み機。
【請求項４】
請求項１〜３のいずれか一項に記載の電動刈り込み機において、
前記スライダは、両側部が後方に向かって狭まる傾斜部を有していることを特徴とする電動刈り込み機。
【請求項５】
請求項４に記載の電動刈り込み機において、
前記傾斜部は、該傾斜部を地面の端部に沿わせて移動させたときに、ブレードの側部が前記地面の端部を越えないように形成されていることを特徴とする電動刈り込み機。
【発明の詳細な説明】
【技術分野】
【０００１】
本発明は、電動式の刈り込み機に係り、特に、刈り込み高さを調整する機構を備えた手持式の電動刈り込み機に関するものである。
【背景技術】
【０００２】
従来から、地面に生えている芝の刈り込み作業に用いられる電動刈り込み機が知られている。この種の電動刈り込み機は、例えば、固定刃と可動刃とを重ねて配置し、可動刃を固定刃に対して横方向に往復運動させることで芝を刈り込むことができるようになっている。また、２枚の可動刃を重ねて配置し、それぞれの可動刃を横方向に、且つ互いの可動刃を逆方向に往復運動させることで芝を刈り込むような電動刈り込み機も存在する。さらに、固定刃と可動刃とを重ねて配置し、可動刃を回転運動させることで芝を刈り込む電動刈り込み機も存在する。
【０００３】
そして、上記のような電動刈り込み機にあっては、所定の高さで芝を刈り込むことを目的として、様々な工夫が施された電動刈り込み機が存在している（例えば、下記特許文献１乃至３参照）。
【０００４】
特許文献１に記載された電動刈り込み機２５０は、図１０に示すように、前方に芝を刈り込む一対の可動刃２５１を備え、後方に使用者が操作するためのハンドル部２５２を備える本体部２５３と、ハンドル部２５２の下方から本体部２５３の前方に至って架け渡し状に取り付けられているガード装置２５４と、を備えて構成されている。本体部２５３の前方にはガード装置２５４の前方端部を支持する複数の止め部２５５が上下方向に並んで設けられている。ガード装置２５４は、後方端部が本体部２５３の中央より少し後方の下部に固定され、前方端部が上記複数の止め部２５５のうち使用者によって選択される１つの止め部２５５に取り付けられるようになっている。
【０００５】
このようにして構成された特許文献１に記載の電動刈り込み機２５０は、ガード装置２５４の前方が使用者によって選択される止め部２５５に取り付けられることにより、本体部２５３の角度を変えることが可能となっており、これによって、可動刃２５１が上下方向に傾き、地面Ｇからの芝の刈り込み高さＨを調整するものである。
【０００６】
また、下記特許文献２に記載の手持式刈込機は、前方に芝を刈り込むための一対の可動刃を備え、後方に使用者が操作するためのハンドル部を備える本体部を備える構成を有している。本体部の下方前方の両側部には、上下方向に複数の溝部が形成されており、この溝部のいずれかに、本体部の下方前方に配置されるブレードカバーを係合することで、前記本体部の高さを調整することができるようになっている。
【０００７】
このようにして構成された特許文献２に記載の手持式刈込機は、使用者によって選択される１つの溝部にブレードカバーが取り付けられることにより、本体部の高さを変えることが可能となっており、これによって、地面Ｇからの芝の刈り込み高さを調整できる。
【０００８】
また、下記特許文献３に記載の手持式芝刈機は、固定刃及び可動刃を備えた駆動部と、操作ハンドル等を備えた操作部とを別体として備え、駆動部を操作部に対して回動させることにより、地面からの駆動部の高さを調整することができるようになっている。
【０００９】
【特許文献１】特開２００２−３３５７６１号公報
【特許文献２】特開２００４−２６１０５３号公報
【特許文献３】特開平９−１３５６３１号公報
【発明の開示】
【発明が解決しようとする課題】
【００１０】
しかしながら、上記特許文献１に記載の電動刈り込み機は、本体角度を変えて可動刃を傾けることにより刈り込み高さを調整しているため、可動刃の作動面と地面とが平行でなくなり、作業場におけるコーナ部では刈り込み高さが一定にならない箇所が発生してしまうという不具合が発生する。
【００１１】
また、上記特許文献１に係るガード部材は、可動刃及び本体部の前方をカバーするものであるので、使用の際にハンドル部へ荷重が加わると本体部が不安定になりやすいという問題も有している。
【００１２】
本発明は、上述した課題の存在に鑑みてなされたものであって、その目的は、容易に刈り込み高さの調整が可能であるとともに刈り込み高さを調整しても芝生を刈り込む作業場全体にわたって均一に刈り込み可能な電動刈り込み機を提供することにある。
【００１３】
また、本発明は、壁などに囲まれたコーナ部での芝の刈り込み作業が容易であり、且つ、芝の刈り残りを少なくできる電動刈り込み機を提供することを目的とするものである。
【課題を解決するための手段】
【００１４】
以下、本発明について説明する。なお、本発明の理解を容易にするために添付図面の参照番号を括弧書きにて付記するが、それにより本発明が図示の形態に限定されるものではない。
【００１５】
本発明に係る電動刈り込み機（１）は、ブレード（２）を備える本体（３）と、前記本体（３）の下方前方及び後方に配置される２つの本体位置決め部（１１，１２）を介して設置されるとともに、刈り込み対象と接する摺動面（２０ｂ）を備えるスライダ（２０）と、下方前方又は後方に配置される前記本体位置決め部（１１，１２）のいずれか一方と前記スライダ（２０）とを固定することによって、前記本体（３）の前記スライダ（２０）に対する位置決め固定を実現する固定具（３０）と、を備える電動刈り込み機（１）であって、前記ブレード（２）の面が、前記スライダ（２０）の摺動面（２０ｂ）に対して略平行方向に配置され、且つ、前記スライダ（２０）の摺動面（２０ｂ）に対する略平行状態を維持したまま前記スライダ（２０）の摺動面（２０ｂ）との間隔を調整自在とされ、前記２つの本体位置決め部（１１，１２）は、前記本体（３）に形成される係合部材（６）、及び該係合部材（６）が係合可能な前記スライダ（２０）の上面前方の両端部に形成される階段状の受け部（１１ａ）から構成される第１の本体位置決め部（１１）と、前記本体（３）の下方後方に形成される突状体（７）、及び前記スライダ（２０）の上面の後方中央部に立設される支持部（１２ｃ）を有する第２の本体位置決め部（１２）と、から構成されていることを特徴とする。
【００１７】
また、本発明に係る電動刈り込み機（１）において、前記支持部（１２ｃ）は、後方が斜め上方に延びる長孔（１２ａ）を備え、該長孔（１２ａ）の内周面下部には、前記固定具（３０）が備える軸（３０ａ）が係合するための階段状の係合部（１２ｂ）が形成されていることとすることができる。
【００２１】
また、本発明に係る電動刈り込み機（１，１００）において、前記ブレード（２）は前方に複数の刈刃（１３）を有する上刃（２ａ）と、前記上刃（２ａ）の下方にほぼ重ね合わせて配置される前方に複数の刈刃（１３）を有する下刃（２ｂ）と、を備え、前記スライダ（２０，１２０）の前方端部が、刈り込み作業における進行方向において、刈刃（１３）の根元の後方近傍に配置されていることとすることができる。
【００２２】
さらに、本発明に係る電動刈り込み機（１，１００）において、前記スライダ（２０，１２０）は、両側部が後方に向かって狭まる傾斜部（２１）を有していることとすることができる。
【００２３】
またさらに、本発明に係る電動刈り込み機（１，１００）において、前記傾斜部（２１）は、該傾斜部（２１）を地面（Ｇ）の端部に沿わせて移動させたときに、ブレード（２）の側部が前記地面（Ｇ）の端部を越えないように形成されていることとすることができる。
【００２４】
なお上記発明の概要は、本発明の必要な特徴の全てを列挙したものではなく、これらの特徴群のサブコンビネーションもまた発明となり得る。
【発明の効果】
【００２５】
本発明に係る電動刈り込み機は、地面と、地面に対向するブレードの面との間の平行状態を維持しながらブレードを上下に調整可能にしたので、芝刈り場の端部まで一定の刈り込み高さで刈り込み作業を行うことが可能である。また、スライダが本体の前方から後方にわたって延びて形成されているので、刈り込み作業時において、本体の移動が安定して行える。さらに、固定具を取り外すだけで、容易に本体の高さ調整を行い本体の位置決めを行えるようにしたので、刈り込み高さ（本体の高さ）の調整作業が容易である。
【００２６】
また、スライダの両側部が後方に向かって狭まるように傾斜部を有し、前記傾斜部は、前記傾斜部を地面の端部に沿って移動させた際に、ブレードの側部が前記地面の端部を越えることがないように形成されているので、例えば、壁に囲まれた芝のコーナ部を刈り込む際に、当該傾斜部を壁に押し付けながら刈り込み作業を行うことにより、ブレードの側部が壁に衝突することなく、容易に芝の刈り込み作業を行うことが可能である。その際、従来の電動刈り込み機と比較して、刈り残りを少なくすることが可能である。
【発明を実施するための最良の形態】
【００２７】
以下、本発明を実施するための好適な実施形態について、図面を用いて説明する。なお、以下の各実施形態は、各請求項に係る発明を限定するものではなく、また、各実施形態の中で説明されている特徴の組み合わせの全てが発明の解決手段に必須であるとは限らない。
【００２８】
［第１の実施形態］
図１は、第１の実施形態に係る電動刈り込み機の全体構造を示す正面図であり、図２は、第１の実施形態に係る電動刈り込み機の全体構造を示す平面図であり、図３は、第１の実施形態に係る電動刈り込み機の前方を示す左側面図であり、図４は、第１の実施形態に係る電動刈り込み機の後方を示す図であり、特に、図４中（ａ）は一部断面の右側面図を示し、図４中（ｂ）は図４（ａ）のＡ部分拡大図を示している。さらに、図５は、従来の電動刈り込み機の動作の一例を示す図であり、図６は、第１の実施形態に係る電動刈り込み機の動作の一例を示す図である。なお、説明し易いように、図１では、左側を前方、右側を後方として説明する。また、図１は、固定具３０のつまみ３１を省略した図である。なお、以下の説明において、本体の内部構造については一般的な電動式の刈り込み機と同様であるので、簡単に説明するものとする。
【００２９】
第１の実施形態に係る電動刈り込み機１は、使用者が片手で持って地面に生えた芝を一定の高さで刈り込み可能なものである。また、壁に囲まれたコーナ部などでの刈り込み作業において、ブレードを壁に衝突させることなく容易に刈り込み作業を行え、且つ、芝の刈り残りを少なくできるものである。
【００３０】
図１及び図２に示すように、第１の実施形態に係る電動刈り込み機１は、芝を刈り込むブレード２を下方前方に突出させて備えている本体３と、本体３の下方に配置され、前記本体３を支持するとともに前記ブレード２の面を地面Ｇに対して垂直方向に移動させて地面Ｇからの前記ブレード２の高さＴを調整し、前記本体３を位置決めする第１及び第２の本体位置決め部１１，１２からなる高さ調整機構１０が上方に配置され、地面Ｇに生えている芝生上を摺動するスライダ２０と、前記本体３の下端後方を第２の本体位置決め部１２に固定して本体３を位置決めし、本体３をスライダ２０に固定する固定具３０と、を備えている。
【００３１】
本体３は、左右二つ割りの割り片を突き合わせて形成されるハウジング３ａを有している。ハウジング３ａの前方には、後述する図示しない駆動部から発生する熱を外部に排出する排出孔３ｂが形成されている。また、ハウジング３ａの後部は、使用者が本体３を把持するための略Ｄ字形の把持部４から形成されている。ハウジング３ａの内部には、ブレード２を駆動するモータ等の駆動部（図示なし）が内蔵されている。さらに、把持部４の内周前方には、トリガー５が設けられている。このトリガー５は、駆動部を駆動するためのスイッチとして機能する。使用者によってこのトリガー５が押圧されることにより、駆動部が起動し、ブレード２が作動するようになっている。
【００３２】
このようにして使用者は、把持部４を片手で持ってトリガー５を操作し、電動刈り込み機１を地面に生えている芝生上でスライド移動させることにより、地面に生えている芝を容易に刈り取ることが可能となっている。
【００３３】
図１及び図２に示すように、ブレード２は、そのブレード２の面が地面（すなわち、スライダ２０の摺動面２０ｂ）に対して水平となるように本体３に対して設置されている。また、ブレード２は、その先端の軌跡Ｌが略扇状の上刃２ａと下刃２ｂとを備えて構成されており、上刃２ａは、下刃２ｂの上面側に僅かな隙間を有してほぼ重ね合わせられて配置されている。上刃２ａと下刃２ｂは、本体３の前方内部において、連結軸（図示なし）により支持されている。なお、この連結軸は駆動部とギヤなどの連結部材（図示なし）を介して接続されている。この上刃２ａと下刃２ｂは、互いの面に沿って本体３の幅方向に当該連結軸を支点として所定の角度だけ左右に揺動可能になっている。そして、トリガー５の押圧によって駆動部が駆動すると、連結軸を介して上刃２ａと下刃２ｂが互いに異なる方向に、当該連結軸を中心として互いの面に沿って一定の角度で左右に揺動運動を繰り返すようになっている。
【００３４】
また、上刃２ａと下刃２ｂの先端（前方）側には複数の刈刃１３が形成されている。このようにして、上刃２ａと下刃２ｂが互いの面に沿って揺動することにより、芝が両刃２ａ，２ｂの刈刃１３間に挟まれて切断される。また、上刃２ａ及び下刃２ｂには、幅広タイプのものが使用されており、本体３の幅よりも広くなっている。
【００３５】
さらに、図２及び図３に示すように、本体３の前方両側部には、左右に突出するとともに後述する第１の本体位置決め部１１の受け部１１ａに係合する係合部材６が形成されている。また、図１及び図４に示すように、本体３の後方には、下方に延びる一対の突状体７が形成されている。この突状体７には中央部に円形の孔７ａが形成されている。この突状体７は、後述する支持部１２ｃを挟んで配置されている。
【００３６】
高さ調整機構１０は、スライダ２０の上方前方の両側部に配置される第１の本体位置決め部１１と、スライダ２０の上方後方にあって、幅方向でほぼ中央に配置される第２の本体位置決め部１２と、固定具３０と、を備えて構成されている。また、第１の本体位置決め部１１は、本体３の係合部材６と、該係合部材６が係合するスライダ２０の上面前方の両側部に形成されている階段状の受け部１１ａから構成されている。
【００３７】
一方、第２の本体位置決め部１２は、スライダ２０上方の後方中央部に設けられている。この第２の本体位置決め部１２は、本体３の下方後方に形成されている突状体７と、スライダ２０の上面の後方中央部に立設されている支持部１２ｃ及び固定具３０の軸３０ａから構成されている。また、支持部１２ｃは、後方が斜め上方に延びる長孔１２ａを有しており、この長孔１２ａの内周面下部には、後述する固定具３０の軸３０ａが係合する階段状の係合部１２ｂが形成されている。
【００３８】
固定具３０は、一端につまみ３１を備えるネジ山が形成された軸３０ａと、この軸３０ａのネジ山に取り付けられるナット３２と、を備えて構成されている。
【００３９】
この固定具３０の軸３０ａは、一対の突状体７の孔７ａと支持部１２ｃに形成された長孔１２ａに挿入されるとともに、長孔１２ａの係合部１２ｂに係合される。そして、ナット３２を軸３０ａに取り付け、つまみ３１とナット３２の間に一対の突状体７と支持部１２ｃが挟まれて、本体３が第２の位置決め部１２に固定され、結果として本体３がスライダ２０に固定されるようになっている。
【００４０】
なお、第１の本体位置決め部１１を構成する階段状の受け部１１ａと、第２の本体位置決め部１２を構成する階段状の係合部１２ｂのそれぞれの段差は、地面Ｇ（すなわち、スライダ２０の摺動面２０ｂ）から同じ高さになるように形成されており、本体３を高さ調整機構１０により位置決めするときに、地面Ｇ（すなわち、スライダ２０の摺動面２０ｂ）に対して略垂直方向に本体３の高さＴを調整できるようになっている。
【００４１】
図２に示すように、スライダ２０は、本体３の前後左右（全体）を囲むように略矩形状に形成された基体２０ａを有している。また、図１に示すように、基体２０ａの前方及び後方の端部は、上方へ曲折して形成されている。このようにすれば、芝の刈り込み時において、刈り込まれた芝が基体２０ａの上面に保持されやすい。
【００４２】
また、基体２０ａの前方端部は、上刃２ａ又は下刃２ｂのいずれか一方の刈刃１３の根元の後方近傍に配置されるようになっている。従来であれば、図５に示すように、芝のコーナ部が壁５６などで囲まれている場合には、ガード装置２５４が壁５６に当接するとともにガード装置２５４により本体３の動作範囲も規制されるため、芝の刈り残りＲ，Ｒ１が多くなったが、第１の実施形態に係る電動刈り込み機１によれば、上記に示すように、芝刈り場の端部に壁５６又は石、若しくは岩などがある場合であって、芝刈り場の端部を刈り込むような場合においても、スライダ２０の前方端部が刈刃１３よりも後方に配置されているので、スライダ２０がブレード２よりも先に壁などに当接することがなく、芝の刈り込み作業を容易に行うことができるようになる。また、芝刈り場の隅（コーナ部）においては、従来の電動刈り込み機と比較して、刈り残りを少なくすることが可能である。さらに、スライダ２０の幅Ｗは、図２に示すように、ブレード２の刈り込み幅Ｙと同一或いは若干小さい寸法に形成されている。かかる構成の採用によって、スライダ２０が刈られていない芝の上に乗り上がってブレード２の地面Ｇからの高さＴが変わるということがないので、刈り込み高さが常時安定することとなる。また、幅方向端部が刈り込み時の目印となり、刈り残しを少なく出来るので、効率良い刈り込み作業が可能となる。なお、刈り込み幅Ｙとは、上刃２ａと下刃２ｂの最大差動幅でなく、上刃２ａと下刃２ｂの最外部（両端部）の刈刃１３が噛合う最大幅Ｙをいう。
【００４３】
また、基体２０ａは、本体３の下方前方から後方にわたって延びて形成されている。このようにすれば、把持部４に後方下向きの押圧力が加わっても本体３が安定するので、使用者が把持部４を握って芝の刈り込み作業を行う場合に、安定且つ容易な芝の刈り込み作業を行うことができる。
【００４４】
さらに、基体２０ａの両側部後方は、徐々に本体３の幅方向に狭められて形成されている傾斜部２１を有している。この傾斜部２１は、図２に示すように、この傾斜部２１に沿って延びる線Ｓによって囲まれる範囲内にブレード２を作動した時の振り幅（ブレード２作動時の上刃２ａ又は下刃２ｂの端部）が収まるように設計され、好適には、傾斜部２１は、図６に示すように、傾斜部２１を地面Ｇに生えている芝刈り場の端部に沿って移動させた際に、ブレード２の側部が芝刈り場の端部を越えることがないように形成されている。
【００４５】
以上のように基体２０ａを構成すれば、例えば、図６に示すように芝刈り場の端部に壁５６が存在する場合に、当該傾斜部２１を壁５６に押し付けながら刈り込み作業を行うことにより、ブレード２を壁５６に当てることなく、容易に芝の刈り込み作業を行うことが可能となる。また、芝刈り場の隅（コーナ部）においては、従来の電動刈り込み機と比較して、刈り残りｒ，ｒ１を少なくすることが可能である。さらに、狭い個所、又は芝面が不規則な石周りでの芝刈作業においては、スライダ２０の後方が狭まれて形成されているので、電動刈り込み機１の動作範囲が広がるため、芝の刈り込み範囲を広げることができるとともに、芝の刈り残りを少なくできる。
【００４６】
次に、芝の刈り込み高さを調整する場合について詳述する。
【００４７】
芝の刈り込み高さを調整する場合には、地面Ｇからブレード２までの高さを変更すれば良いので、まず第１の本体位置決め部１１を構成する本体３前方の係合部材６を、受け部１１ａの所定の位置に変更して当接させ、次に、第２の本体位置決め部１２の固定具３０の軸３０ａを上記受け部１１ａに対応する係合部１２ａの所定の位置に係合させる。そして、固定具３０をしっかりと締め付けて本体３を第２の本体位置決め部１２に固定する。改めて、芝の刈り込み高さを調整する場合には、固定具３０による締め付けを緩め、再度、係合位置を変更することにより、容易に本体３の高さを調整することができる。
【００４８】
このように、第１の実施形態に係る電動刈り込み機１は、固定具３０の締め付けを緩めることにより、地面Ｇ（すなわち、スライダ２０の摺動面２０ｂ）と、地面Ｇ（すなわち、スライダ２０の摺動面２０ｂ）に対向するブレード２の面との間の略平行状態を維持しながら、本体２の高さを容易に調整することが可能となっている。
【００４９】
続いて、第１の実施形態に係る電動刈り込み機の動作について詳述する。
【００５０】
第１の実施形態に係る電動刈り込み機１は、使用者が片手で把持部４を把持しつつトリガー５を押圧し、駆動部を駆動してブレード２を作動させるとともに、本体３を下方に押し付けながら前方に本体３を移動させてスライダ２０を芝生上に摺動させることにより、芝を一定の高さで刈り込むことが可能となっている。
【００５１】
以上説明したように、第１の実施形態に係る電動刈り込み機１は、ブレード２を備える本体３と、前記本体３の下方前方及び後方に配置される２つの本体位置決め部１１，１２を介して設置されるとともに、刈り込み対象と接する摺動面２０ｂを備えるスライダ２０と、下方前方又は後方に配置される前記本体位置決め部１１，１２のいずれか一方と前記スライダ２０とを固定することによって、前記本体３の前記スライダ２０に対する位置決め固定を実現する固定具３０と、を備える装置である。そして、前記ブレード２の面は、前記スライダ２０の摺動面２０ｂに対して略平行方向に配置され、且つ、前記スライダ２０の摺動面２０ｂに対する略平行状態を維持したまま前記ブレード２との間隔を調整自在とされていることを特徴としている。
【００５２】
このように構成された第１の実施形態に係る電動刈り込み機１は、地面Ｇ（すなわち、スライダ２０の摺動面２０ｂ）と、地面Ｇ（すなわち、スライダ２０の摺動面２０ｂ）に対向するブレード２の面との間の略平行状態を維持しながらブレード２を上下に調整可能にしたので、芝刈り場の端部まで一定の刈り込み高さで刈り込み作業を行うことが可能となっている。
【００５３】
また、スライダ２０が本体３の前方から後方にわたって延びて形成されているので、刈り込み作業時において、本体３の移動が安定して行える。
【００５４】
さらに、第１の実施形態に係る電動刈り込み機１では、固定具３０を緩めるだけで容易に本体３の高さ調整を行い、本体３の位置決めを行えるようにしたので、刈り込み高さ（本体３の高さ）の調整作業が容易である。
【００５５】
またさらに、スライダ２０の両側部が後方に向かって狭まるように傾斜部２１を形成し、この傾斜部２１が、該傾斜部２１を地面Ｇの端部に沿わせて移動させた際に、ブレード２の側部が前記地面Ｇの端部を越えることがないように形成したので、例えば、壁５６に囲まれた芝のコーナ部を刈り込む際に、当該傾斜部２１を壁５６に押し付けながら刈り込み作業を行うことにより、芝の刈り込み作業を容易に行うことが可能となっている。その際、従来の電動刈り込み機と比較して、刈り残りを少なくすることができる。
【００５６】
［第２の実施形態］
以上説明した第１の実施形態に係る電動刈り込み機１では、２つの本体位置決め部１１，１２が、本体３に形成される係合部材６、及び該係合部材６が係合可能なスライダ２０の上面前方の両端部に形成される階段状の受け部１１ａから構成される第１の本体位置決め部１１と、本体３の下方後方に形成される突状体７、及びスライダ２０の上面の後方中央部に立設される支持部１２ｃを有する第２の本体位置決め部１２と、から構成されている場合について説明した。次に説明する第２の実施形態に係る電動刈り込み機１は、第１の実施形態とは異なる形態を有する２つの本体位置決め部の実施例について説明を行うものである。なお、上述した第１の実施形態の場合と同一又は類似する部材については、同一符号を付して説明を省略する場合がある。
【００５７】
図７は、第２の実施形態に係る電動刈り込み機１００の外観正面図であり、スライダ１２０に対して本体１０３が最も低い位置にある状態を示した図である。また、図８は、第２の実施形態に係る電動刈り込み機１００の平面図である。さらに、図９は、第２の実施形態に係る電動刈り込み機１００の外観正面図であり、スライダ１２０に対して本体１０３が最も高い位置にある状態を示した図である。また、第２の実施形態に係る電動刈り込み機１００のブレード２は、下刃２ｂが固定刃、上刃２ａが回転刃となり芝を刈り込むことができる。なお、図８では、電源コードとブレードの部分の図示が略されている。
【００５８】
第２の実施形態に係る電動刈り込み機１００の本体１０３には、後方から前方に向かって下方向に傾斜する傾斜面１１２ｃが形成されている。また、本体１０３には、傾斜面１１２ｃに対して略平行な方向に延びる複数の係合部１１２ｂが形成された長孔１１２ａが形成されている。
【００５９】
一方、スライダ１２０には、本体１０３に形成される傾斜面１１２ｃに摺動可能に当接する対向面１２２ａが形成されており、長孔１１２ａに対向する前記対向面１２２ａの位置には、係合部１１２ｂに係合する被係合部１３０が設置されている。この被係合部１３０は、スライダ１２０の左右両側からそれぞれ立ち上がって上部が対向面１２２ａよりも高くなるように延びる側面略三角形状の腕部１３３，１３３と、この一対の腕部１３３，１３３それぞれに形成された貫通孔に導通される軸１３０ａとから構成されている。なお、この軸１３０ａには、軸端部にねじ溝１３０ｂが切ってあり、腕部１３３，１３３の貫通孔に埋設されたナット３２に対してねじ溝１３０ｂが螺入されることにより、スライダ１２０の腕部１３３，１３３に対する軸１３０ａの確実な固定が実現されている。また、図８に２点鎖線で示すように、軸１３０ａの他端部につまみ１３０ｃを設けても良い。
【００６０】
以上のようにスライダ１２０に対して固定設置された軸１３０ａが、本体１０３側に形成された波形状の係合部１１２ｂに係合することによって、本体１０３に対するスライダ１２０の位置決めが可能となっている。すなわち、本体１０３に形成された傾斜面１１２ｃとスライダ１２０に形成された対向面１２２ａのいずれか一方を摺動させた後、係合部１１２ｂと被係合部１３０の軸１３０ａとを係合させることにより、本体１０３とスライダ１２０の位置決めが完了するのである。なお、軸１３０ａの係合部１１２ｂからの係合解除及び移動は、つまみ１３０ｃを把持して行えば容易に行うことができる。
【００６１】
位置決めが完了した本体１０３とスライダ１２０については、互いが確実に固定される必要がある。そして、第２の実施形態に係る電動刈り込み機１００では、本体１０３とスライダ１２０の固定手段として保持部材１９０を設けることとした。この保持部材１９０は、第１の実施形態における第１の本体位置決め部１１と、固定具３０とが備える機能を兼備する部材である。次に、この保持部材１９０について、詳細に説明を行う。
【００６２】
保持部材１９０は、弾性力を有する線材によって構成されており、正面視にて略Ｖ字形に、平面視にて略Ｕ字形に形成されている。この保持部材１９０には、平面視での略Ｕ字形の両端部の箇所に輪部１９０ａが形成されており、この輪部１９０ａを本体１０３の両側面に対して本体１０３と一体に突設された軸１０３ａに係合させ、座金１４０を介して固定ねじ１５０にて固定することにより、本体１０３に対する保持部材１９０の確実な固定が実現されている。
【００６３】
一方、保持部材１９０の略Ｕ字形の湾曲部分は、スライダ１２０の対向面１２２ａに対して略平行方向に貫通して形成される係止用長孔１２２ｂに挿入設置されている。なお、この係止用長孔１２２ｂは、保持部材１９０の線径よりも少しだけ大きく形成されており、保持部材１９０が係止用長孔１２２ｂ内で摺動自在となるように構成されている。
【００６４】
以上のように係止用長孔１２２ｂ内に挿入設置される保持部材１９０については、さらに、本体１３０への取付状態において、正面視にて略Ｖ字形のＶ字の開き角度をθとしたとき、取付前の状態では、Ｖ字の開き角度がθ−α度となるように形成がされている。このような角度設定を採用することによって、保持部材１９０が本体１３０に取付されたときにα度分の弾性力が係止用長孔１２２ｂと保持部材１９０との係合部に作用することとなるので、保持部材１９０はスライダ１２０を本体１３０側に付勢することになり、よってスライダ１２０の対向面１２２ａと本体１３０の傾斜面１２２ａは常時付勢力を受けて当接するようになり、本体１３０に対するスライダ１２０の確実な固定状態が維持されることとなる。
【００６５】
以上説明した第２の実施形態の構成であれば、ボルトなどの締結手段による固定の場合に比べて非常に簡単にスライダ１２０に対するブレード２の間隔を調整することが可能となる。すなわち、スライダ１２０に対して下向きの力を加えることによって被係合部１３０の軸１３０ａと係合部１１２ｂとの係合状態を一旦解除し、軸１３０ａを前方もしくは後方に移動させて他の係合部１１２ｂに係合しなおすだけで簡単にスライダ１２０とブレード２との間隔を調整することが可能となる。
【００６６】
また、第２の実施形態の構成であれば、ボルトなどの締結手段による固定の場合において、ボルトの締め付け力が弱い場合に発生してしまう可能性があるスライダ１２０の垂れ下がり現象等の異常も発生する虞がないので、安全面でも非常に好適な構成であるといえる。
【００６７】
なお、図７乃至図９を用いて説明した第２の実施形態では、軸１３０ａを移動させて保持部材１９０のみで位置決め保持する構成を説明したが、例えば、軸１３０ａをねじ軸として構成し、腕部１３３，１３３とスライダ１２０とを締め付け固定できる構成とすることも可能である。
【００６８】
また、スライダ１２０が有する対向面１２２ａの略中心位置に対して前後方向（図８における紙面左右方向）に伸びる断面矩形状の溝１２２ｃを形成し、一方、第２の本体位置決め部１１２に形成される傾斜面１１２ｃに対しては、前記溝１２２ｃに嵌まり込む断面矩形状の凸部１１２ｄを形成し、溝１２２ｃと凸部１１２ｄとが摺動自在に係合するような構成を採用することも可能である。この溝１２２ｃと凸部１１２ｄとの係合によって本体１０３とスライダ１２０との横ずれ発生を防止することが可能となる。
【００６９】
以上、本発明の好適な実施形態について説明したが、本発明の技術的範囲は上記各実施形態に記載の範囲には限定されない。上記各実施形態には、多様な変更又は改良を加えることが可能である。例えば、第１の実施形態で説明したブレード２は、一対の可動刃（上刃２ａ及び下刃２ｂ）を備えているが、下刃２ｂを固定し、上刃２ａのみが下刃２ｂの上面を揺動するようにしても構わない。
【００７０】
また、第１の実施形態に係る電動刈り込み機１において、スライダ２０の前方に第２の本体位置決め部１２を配置し、後方に第１の本体位置決め部１１を配置するようにしても構わない。その様な変更又は改良を加えた形態も本発明の技術的範囲に含まれ得ることが、特許請求の範囲の記載から明らかである。
【図面の簡単な説明】
【００７１】
【図１】第１の実施形態に係る電動刈り込み機の全体構造を示す正面図である。
【図２】第１の実施形態に係る電動刈り込み機の全体構造を示す平面図である。
【図３】第１の実施形態に係る電動刈り込み機の前方を示す左側面図である。
【図４】第１の実施形態に係る電動刈り込み機の後方を示す図であって、図４中（ａ）は一部断面の右側面図であり、図４中（ｂ）は図４（ａ）のＡ部分拡大図である。
【図５】従来の電動刈り込み機の動作の一例を示す図である。
【図６】第１の実施形態に係る電動刈り込み機の動作の一例を示す図である。
【図７】第２の実施形態に係る電動刈り込み機の外観正面図であり、スライダに対して本体が最も低い位置にある状態を示した図である。
【図８】第２の実施形態に係る電動刈り込み機の平面図である。
【図９】第２の実施形態に係る電動刈り込み機の外観正面図であり、スライダに対して本体が最も高い位置にある状態を示した図である。
【図１０】従来の電動刈り込み機の全体構造を示す図である。
【符号の説明】
【００７２】
１  電動刈り込み機、２  ブレード、２ａ  上刃、２ｂ  下刃、３  本体、３ａ  ハウジング、３ｂ  排出孔、４  把持部、５  トリガー、６  係合部材、７  突状体、７ａ  孔、１０  高さ調整機構、１１  第１の本体位置決め部、１１ａ  受け部、１２  第２の本体位置決め部、１２ａ  長孔、１２ｂ  係合部、１２ｃ  支持部、１３  刈刃、２０  スライダ、２０ａ  基体、２０ｂ  摺動面、２１  傾斜部、３０  固定具、３０ａ  軸、３１  つまみ、３２  ナット、５６  壁、１００  電動刈り込み機、１０３  本体、１１２  第２の本体位置決め部、１１２ａ  長孔、１１２ｂ  係合部、１１２ｃ  傾斜面、１１２ｄ  凸部、１２０  スライダ、１２２ａ  対向面、１２２ｂ  係止用長孔、１２２ｃ  溝、１３０  被係合部、１３０ａ  軸、１３３  腕部、１９０  保持部材、１９０ａ  輪部、２５０  電動刈り込み機、２５１  可動刃、２５２  ハンドル部、２５３  本体部、２５４  ガード装置、２５５  止め部、Ｇ  地面。
【図１】
0004813267.tif 000002
【図２】
0004813267.tif 000003
【図３】
0004813267.tif 000004
【図４】
0004813267.tif 000005
【図５】
0004813267.tif 000006
【図６】
0004813267.tif 000007
【図７】
0004813267.tif 000008
【図８】
0004813267.tif 000009
【図９】
0004813267.tif 000010
【図１０】
0004813267.tif 000011